(57)【特許請求の範囲】
【請求項１】
紫外線光源をプラネタリウム投映機の冷却用吸排気機構内に配置したことを特徴とするプラネタリウム施設。
【発明の詳細な説明】
【技術分野】
【０００１】
本願発明は、プラネタリウム施設に関する。
【背景技術】
【０００２】
投映機から発した光をドーム状の内側のスクリーンに映し出すことで星像およびその運動を再現し、それをドーム内の観客が鑑賞するプラネタリウム施設は、その構造上開放された窓はなく、また出入り口は上映中は閉ざされ、内部は密閉空間となる。一方、上映中の出入りは禁止されるので不特定多数の観客が長時間に渡って上記密閉空間に止まることになる。
【０００３】
ところで、近年ＣＯＶＩＤ−１９（新型コロナウイルス感染症）の蔓延により、建物内の消毒が大きな課題となっている。プラネタリウム施設も例外でなく、前記した環境から感染症がいた場合、伝染する可能性は特に高く、消毒の必要性が特に高い。
【０００４】
建物内の殺菌に関しては一般的には薬液の塗布による清掃や薬液の噴霧（例えば特許文献１に記載の発明は映画館を想定している。）が行われており、仮にプラネタリウム施設を殺菌を行う場合はこの手法を踏襲することになる。
【０００５】
【特許文献１】実全昭５７- ０９０１４３
【発明の開示】
【発明が解決しようとする課題】
【０００６】
公知の手法を使用してプラネタリウム施設を殺菌する場合、使用する施設の座席などを高濃度のアルコールや次亜塩素酸などによって清掃するなどの作業だけでなく、プラネタリウムドームの空間内から細菌やウィルスを取り除く必要がある。
【０００７】
そのためには、施設の空間内に次亜塩素酸などを噴霧する必要があるが、噴霧後の換気が必須となる。また、プラネタリウム投映機などの精密機器、あるいは光学機器にこれらの薬品が付着した場合、腐食や性能の劣化の可能性があるため、それらの機器を保護する作業が必要となる。
【０００８】
前記の作業はそれぞれ時間が要し、一日に何回もの番組を上映し、そのたびに観客が入れ代わるプラネタリウム施設の場合、次の上映開始が遅延し、上映サイクルに影響を生じる問題がある。
【０００９】
本願発明は、以上の従来技術の問題点に鑑みて創作されたものであり、上映サイクルに影響を与えずに効果的な殺菌を実現できるプラネタリウム施設を提供することを目的とする。
【課題を解決するための手段】
【００１０】
すなわち、本願発明のプラネタリウム施設は、紫外線光源を配置したプラネタリウム投映機を有することを特徴とする。
【００１１】
また、請求項２に記載の発明は前記のプラネタリウム施設において、紫外線光源はプラネタリウム投映機の冷却用吸排気機構内に配置したことを特徴とする。
【００１２】
また、請求項３に記載の発明は前記のプラネタリウム施設において、プラネタリウム投映機の恒星投映部に紫外線光源を配置したことを特徴とする。
【００１３】
また、請求項４に記載の発明は前記のプラネタリウム施設において、プラネタリウム投映機の月、太陽を含む惑星投映部に紫外線光源を配置したことを特徴とする。
【００１４】
また、請求項５に記載の発明は前記のプラネタリウム施設において、プラネタリウム投映機の座標系投映部に紫外線光源を配置したことを特徴とする。
【００１５】
また、請求項６に記載の発明は前記のプラネタリウム施設において、プラネタリウム投映機の星座絵投映部に紫外線光源を配置したことを特徴とする。
【００１６】
また、請求項７に記載の発明は前記のプラネタリウム施設において、プラネタリウム投映機の朝夕焼けまたは薄明薄暮投映部に紫外線光源を配置したことを特徴とする。
【００１７】
また、請求項８に記載の発明は前記のプラネタリウム施設において、プラネタリウム投映機の昼光、青光投映部に紫外線光源を配置したことを特徴とする。
【００１８】
また、請求項９に記載の発明は前記のプラネタリウム施設において、紫外線光源として、紫外線ランプを用いたことを特徴とする。
【００１９】
また、請求項１０に記載の発明は前記のプラネタリウム施設において、紫外線光源として、紫外線ＬＥＤを用いたことを特徴とする。
【００２０】
また、請求項１１に記載の発明は前記のプラネタリウム施設において、紫外線光源として、紫外線レーザーを用いたことを特徴とする。
【００２１】
また、請求項１２に記載の発明は前記のプラネタリウム施設において、紫外線光源として、紫外線発光蛍光体を用いた請求項１から８のいずれかに記載のプラネタリウム施設。
【００２２】
また、請求項１３に記載の発明は前記のプラネタリウム施設において、プラネタリウム投影機として、光学式プラネタリウム投映機を用いたことを特徴とする。
【００２３】
また、請求項１４に記載の発明は前記のプラネタリウム施設において、プラネタリウム投影機として、デジタル式プラネタリウム投映機を用いたことを特徴とする。
【００２４】
また、請求項１５に記載の発明は前記のプラネタリウム施設において、紫外線光源を点灯・消灯、または調光できるようにしたことを特徴とする。
【００２５】
本願発明はプラネタリウム投映機の構造に着目して創作されたものである。プラネタリウム投映機は一般に内部の強い光源を必要とするため、大きな発熱があり、その冷却のための空気の流れを生じさせる大容量の送風装置が組み込まれているが、本願発明者はそこに着目して、その吸排気経路中に細菌やウィルスを減少させる効果が期待できる紫外線光源を配置することを着想した。
【００２６】
すなわち、吸排気経路中に紫外線光源を配置することによりそこを通過する空気中の細菌やウィルスを減少させる作用を生じさせる。この場合、プラネタリウム投映機の送風装置は施設内の空気を吸引して排出するわけだから、結果的に施設内を循環する空気に含まれる細菌やウィルスを殺菌することになる。
【００２７】
プラネタリウム投映機は、その目的からプラネタリウムドームの中央に位置しており、施設内の冷暖房装置からの空気の流れが集中しやすく、また、空間の高さが最もある部分の直下に位置していることで、そこを中心とした対流が起こりやすいことなどから、空間内の空気の清浄化を図るのに適している。強力な冷却を必要とするプラネタリウム投映機の吸排気経路にはファンが取り付けられており、施設内の空気は漏れなく循環されてここを通過するのでここに紫外線光源を配置することは理に適っている。
【００２８】
紫外線光源は、目や皮膚に障害を起こす可能性があるので、光源を直視できるような環境下で使用することは適切ではないが、本願発明においては紫外線光源はプラネタリウム投映機内の吸排気経路中に配されるので、観客は紫外線光源を直視することはない。
【００２９】
また、プラネタリウム投映機は観客が光源を直視できない位置に設置するドームスクリーン面の照明用光源も有するので、その近辺に紫外線光源を配置することもできる。
【００３０】
一方、プラネタリウムの上映は、可視光などを遮光した暗黒下で行われるため、紫外線により不活化された細菌類が可視光などによって光回復を起こす可能性が少ない。
【００３１】
また、極めてまれではあるが紫外線に対してアレルギーを持つ者もいるため、光源を任意に消灯、点灯できるようにしておくことも重要である。
【発明の効果】
【００３２】
本願発明によれば、プラネタリウム投映機内部に紫外線光源を配置することで、光源を直視できる状態には無いため、プラネタリウムの上映中であっても点灯状態とすることができ、長時間に渡る効果を期待でき、また、薬剤殺菌などのように残留性もないことから、プラネタリウム施設の安全で効率的な運用が期待できる。
【００３３】
以上の構成よりなる本願発明のプラネタリウム施設によれば、施設の空間内に次亜塩素酸などを噴霧しないので、噴霧後の換気が不要となり、また、プラネタリウム投映機などの精密機器、あるいは光学機器にこれらの薬品が付着する心配もない。その結果、換気作業や薬品からの機器の保護作業を要しないので、これらにより次の上映開始が遅延することなく、上映サイクルに影響を与えずに効果的なプラネタリウム施設の殺菌を実現できる。
【図面の簡単な説明】
【００３４】
【図１】本願発明のプラネタリウム施設のプラネタリウム投映機の要部の断面図。
【図２】同上、異なる実施例の断面図。
【図３】同上、異なる実施例の断面図。
【図４】同上、異なる実施例の断面図。
【図５】本願発明のプラネタリウム施設のプラネタリウム投映機の異なる実施例の正面図。
【発明を実施するための最良の形態】
【００３５】
以下、本願発明のプラネタリウム施設の具体的実施例を添付図面に基づいて説明する。図１は光学式プラネタリウムのプラネタリウム投映機Ｐの恒星投映部の吸排気経路に紫外線ＬＥＤを配置した例である。
【００３６】
一般に殺菌に用いられる殺菌灯器具は１５Ｗ程度であり５０ｃｍ程度の距離で使用した場合、約１. ５Ｗ／ｍ＾２の殺菌線放射強度があり、日光の６０倍の殺菌力が得られるとされている(https://www.jstage.jst.go.jp/article/jieij1980/76/7/76 ＿7 ＿361/＿pdf)。紫外線ＬＥＤにおいて、高出力に分類される素子のごく一般的な例は光出力は３０ｍＷ程度、その放射角は６０度程度である。
【００３７】
ここで、プラネタリウムの冷却用の吸排気部の径を５０ｍｍ程度とすれば、この距離における放射強度は１２Ｗ／ｍ＾２となり、太陽の４８０倍もの殺菌力が得られる。
【００３８】
ウィルス類の残存率Ｓは、ウィルスが１／１０に減る紫外線のエネルギー量を７. ５Ｊ／ｍ＾２とすれば、装置内の風速をおおよそ１ｍ／ｓとしたとき、距離５０ｍｍの通過時間は０. ０５秒であるから、
Ｓ =１０＾(-１２＊０. ０５／７. ５)=０. ８３
となり、おおよそ２０％程度の不活化効果が得られることがわかる。
【００３９】
吸排気経路の壁面付近では空気の流速は低下して相対的に照射時間は長くなり、経路断面の中央では照射時間は短くなるものの紫外線光源までの距離が半減し放射強度は４倍となるから、全体としての不活化率は２０％より大きな値になることが期待できる。
【００４０】
また、紫外線光源を複数並べて照射時間を長くしたり、光源を対抗させて放射強度を高めることで、より残存率を小さくすることが可能であり、計算例と同じＬＥＤを２個並べて照射時間を倍とすれば約３０％の不活化効果が得られ、２個対向して配置すれば約５０％の不活化効果が得られる。
【００４１】
プラネタリウムのドーム径が小さいと観客が密集しやすくなると考えられるが、例えばドーム径が６ｍの場合、ドーム内の体積は約３２ｍ＾３であるが、吸排気機構の風量を０. ３ｍ＾３／分とすると約２時間でドーム内の空気全てに対して不活化を施すことができる。
【００４２】
図中符号１は、恒星を映すための投映筒、２はその光源を表している。６は、発熱する光源などの熱を効率よく放熱構造物に伝えるための熱伝導体である。図中符号７は放熱のための吸排気機構を表し、３がそのための吸気口あるいは吸気ファン、４が排気口あるいは排気ファンを示す。図中符号５が紫外線ＬＥＤを示している。
【００４３】
この例では、ＬＥＤを１つしか配置していないが、より良い効果を得るために、図２に示すように排気経路に沿って紫外線ＬＥＤを並べて配置することで吸気から排気まで紫外線の照射時間を長くしたり、あるいは、図３のように向かい合わせ、あるいは図４のように千鳥配置とすることで、時間を長くするだけでなく照射する紫外線の強度を上げることができる。
【００４４】
なお、紫外線光源としてここでは紫外線ＬＥＤを用いているが、光源はこれに限らず、例えば紫外線ランプ、紫外線レーザー、紫外線発光蛍光体などでもよいことはもちろんである。
【００４５】
また、紫外線光源はここでは恒星投映部に紫外線光源を配置しているが、月、太陽を含む惑星投映部、座標系投映部、星座絵投映部、朝夕焼けまたは薄明薄暮投映部に配置してもよいことはもちろんである。
【００４６】
本願発明はデジタル式プラネタリウム投映機においても、投映機の吸排気経路あるいは外付けされる排気ダクト中に同様の紫外線ランプを配置することで、光学式プラネタリウムの例で示したのと同様な効果を得ることができる。
【００４７】
図５は、プラネタリウムの客席などから光源を直視することができない、昼光、青光投映機に紫外線ＬＥＤを配置した例である。この場合、紫外線光源８は観客から直視はできないもののスクリーン面からの反射の影響も考えられるため点灯に当たっては注意が必要になるが、プラネタリウム空間に広く照射できる利点があり、観客の入れ替え時等に使用することで、すでに述べた他の方法と併用し、効果的な施設の運用を図ることが可能である。
【００４８】
なお、以上の紫外線光源は点灯・消灯、または調光できるよう制御されることはもちろんである。
【符号の説明】
【００４９】
Ｐ      プラネタリウム投映機
１      恒星を映すための投映筒
２      恒星を映すための投映筒の光源
３      放熱のための吸排気機構の吸気口あるいは吸気ファン
４      放熱のための吸排気機構の排気口あるいは排気ファン
５      紫外線ＬＥＤ
６      熱伝導体
７      放熱のための吸排気機構
８      昼光、青光投映機
【要約】
【課題】  施設の空間内に次亜塩素酸などを噴霧することなく、上映サイクルに影響を与えずに効果的な殺菌を実現できるプラネタリウム施設を提供する。
【解決手段】  プラネタリウム施設のプラネタリウム投映機Ｐに紫外線光源５を配置する。
【選択図】      図１【図１】
0006824545.tif 000002
【図２】
0006824545.tif 000003
【図３】
0006824545.tif 000004
【図４】
0006824545.tif 000005
【図５】
0006824545.tif 000006